(57)【要約】  毛切断システム１００であって、毛を切断するための切断刃１２４の１つ以上の対を有する毛切断機器１２０と、切断刃の前方に配置され、切断刃に向けて毛をガイドするよう構成された、櫛と、毛切断機器により切断された毛を受容するための毛室１６８を有する集毛器１６０であって、毛切断機器に集毛器を結合するよう構成された結合部１７０を有する、集毛器と、を有する毛切断システムが提供される。該毛切断システムのための集毛器も提供される。
2021521953.tif 000002
【特許請求の範囲】
【請求項１】
毛切断システムであって、
毛を切断するための切断刃の１つ以上の対を有する毛切断機器と、
前記切断刃の前方に配置され、前記切断刃に向けて毛をガイドするよう構成された、櫛と、
前記毛切断機器により切断された毛を受容するための毛室を有する集毛器であって、前記毛切断機器に前記集毛器を結合するよう構成された結合部を有する、集毛器と、
を有し、前記毛切断システムが組み立てられたとき、前記櫛の一部が前記毛室内に配置される、毛切断システム。
【請求項２】
前記毛室の壁部は、前記櫛の遠位端の上及び前記遠位端の前方に延在する、請求項１に記載の毛切断システム。
【請求項３】
前記毛室の壁部は開口を有し、前記櫛の遠位端は前記開口へと又は前記開口を通って延在する、請求項１に記載の毛切断システム。
【請求項４】
毛を受容するための前記毛室の開口は、前記切断刃及び前記櫛により略閉じられる、請求項１乃至３のいずれか一項に記載の毛切断システム。
【請求項５】
前記櫛は、複数の櫛歯を有し、前記櫛の歯の間において毛が前記毛室から出て通過することを制約するよう、前記櫛歯間の間隔は、１ｍｍと６．８ｍｍとの間である、請求項１乃至４のいずれか一項に記載の毛切断システム。
【請求項６】
前記集毛器は、前記集毛器が前記毛切断機器に結合されたときに、前記毛切断機器の本体の表面に係合するよう構成された基部壁を有し、前記基部壁の自由端は、少なくとも部分的に、前記毛室の開口を定義する、請求項１乃至５のいずれか一項に記載の毛切断システム。
【請求項７】
前記毛切断機器は、前記集毛器の基部壁の少なくとも一部を受容するよう構成された、請求項６に記載の毛切断システム。
【請求項８】
前記基部壁の内側面は、前記自由端において前記毛切断機器の毛切断面に略垂直に向けられ、前記自由端から離れた位置において前記毛切断機器の本体の表面と略整列した、請求項６又は７に記載の毛切断システム。
【請求項９】
前記基部壁は、湾曲した壁部分を有し、前記基部壁の向きは、前記自由端において前記毛切断面に対して略垂直な向きから、前記自由端から離れた位置において前記毛切断機器の本体の表面と略整列した向きへと、前記湾曲した壁部分に亘って遷移する、請求項１乃至８のいずれか一項に記載の毛切断システム。
【請求項１０】
前記基部壁は、前記自由端から延在する傾斜部分を有し、前記傾斜部分は、前記切断刃の毛切断面に略垂直な毛流れ面を定義する、請求項６乃至９のいずれか一項に記載の毛切断システム。
【請求項１１】
前記基部壁の自由端は、前記毛切断機器の本体の遠位端に略整列した、請求項６乃至１０のいずれか一項に記載の毛切断システム。
【請求項１２】
前記櫛は、前記毛切断システムにより切断される毛の長さを変化させるために前記切断刃に対して移動可能であり、前記櫛及び前記集毛器は、前記櫛の遠位端と前記毛室の内側面との間の間隙が、前記櫛が動く間に略一定となるよう構成された、請求項１乃至１１のいずれか一項に記載の毛切断システム。
【請求項１３】
前記集毛器は更に、前記毛室の閉じた端部と前記毛室の開口との間に毛保持壁を有する、請求項１乃至１２のいずれか一項に記載の毛切断システム。
【請求項１４】
前記毛保持壁は、前記切断刃の毛切断面に略垂直な方向に前記基部壁から離れる方向に延在する、請求項５に従属する請求項１３に記載の毛切断システム。
【請求項１５】
前記集毛器は、前記毛切断機器により切断された毛を受容するための毛室と、前記毛切断機器に前記集毛器を結合するよう構成された結合部と、を有し、前記毛切断システムが組み立てられたときに、前記櫛の一部が前記毛室内に配置される、請求項１乃至１４のいずれか一項に記載の毛切断システムのための集毛器。
【発明の詳細な説明】
【技術分野】
【０００１】
本発明は、毛切断システムに関し、特に、限定するものではないが、切断された毛の捕捉を改善する毛切断システムに関する。
【背景技術】
【０００２】
毛トリミングの間、切断された毛は、典型的には、毛が切断されている人の上及び周囲に毛切断装置から落ち得る。このことは、毛を切っている人と切られている人の両方に悩ましいものとなり得る。
【発明の概要】
【発明が解決しようとする課題】
【０００３】
毛切断後の毛の清掃には時間と労力が必要である。更に、毛切断中に、例えば首、顔、背中、腕、及び／又は手の皮膚に落ちる切断された毛は、かゆみ及び刺激を引き起こし得、このことは、毛切断プロセスを不快にし得る。
【０００４】
子供が毛を切られているとき、毛切断プロセスができるだけ快適にされることが特に望ましい。子供の皮膚の毛を切断すると、かゆみや刺激が生じ、毛を切る人の心配が増し、毛切断の結果が悪くなる可能性がある。
【０００５】
国際特許出願公開ＷＯ２０１７／０８４８９７Ａ１は、毛クリッパ、離間櫛、及び集毛容器を含む毛クリッピングシステムを開示し、集毛容器は、櫛とクリッパとの間に配置されるように配置される。
【０００６】
国際特許出願公開ＷＯ２０１７／０２１２０２Ａ１は、毛クリッパと、離間櫛と、毛コレクション容器とを含む毛クリッピングシステムを開示しており、集毛容器は櫛に取り付けるように配置されている。取り付けられた状態では、集毛容器は、櫛とバリカンとの間、並びに櫛の背後に延在する。
【０００７】
仏国特許出願公開ＦＲ２８０９０４９Ａ１明細書には、切断された毛粒子を装置のある間隔で受容容器内に吹き込むためのエアブロー装置を有する毛クリップ装置が開示されている。
【課題を解決するための手段】
【０００８】
本発明の一態様によれば、毛切断システムであって、毛を切断するための切断刃の１つ以上の対を有する毛切断機器と、例えば該毛切断機器の移動方向（切断方向）で見て、前記切断刃の前方に配置され、前記切断刃に向けて毛をガイドするよう構成された、櫛と、前記毛切断機器により切断された毛を受容するための毛室を有する集毛器であって、前記毛切断機器に前記集毛器を結合するよう構成された結合部を有する、集毛器と、を有する毛切断システムが提供される。
【０００９】
該櫛及び集毛器は、前記毛切断システムが組み立てられたとき、前記櫛の一部（例えば該櫛の遠位部分）が前記毛室内に配置されるように構成される。
【００１０】
毛室の壁、例えば毛室の前壁は、櫛の遠位端、例えば櫛に沿って毛切断機器から最も遠い櫛の端部の、例えば切断方向の上方及び前方に、例えば毛切断機器から延在しても良い。
【００１１】
毛室の壁、例えば毛室の前壁は、開口を含んでも良い櫛は、例えば、毛切断システムが組み立てられたときに、櫛の遠位端が開口内に、又は開口を通って延在するように構成されても良い
【００１２】
毛を受容するための毛室の開口は、例えば毛室から出る毛が切断刃又は櫛を通過するように、櫛又は切断刃及び櫛によって実質的に覆われても良い
【００１３】
櫛は、複数の櫛歯を有しても良い。櫛歯は、櫛を横切って、例えば切断方向に垂直に離間しても良い櫛歯の間の間隔は、例えば、毛が櫛歯の間において毛室から出るのを制限するために、約３．８ｍｍであっても良い櫛歯の間隔は、６．８ｍｍ以下、６ｍｍ以下、５ｍｍ以下、４ｍｍ以下、３ｍｍ以下であっても良い。櫛歯間の間隔は、１ｍｍ以上、２ｍｍ以上、又は３ｍｍ以上であっても良い
【００１４】
櫛歯間の間隔は、約３．８ｍｍ乃至約６．８ｍｍ、例えば、６．８ｍｍ以下且つ３．８ｍｍ以上であっても良い幾つかの構成では、櫛歯間の間隔は、約１ｍｍ乃至６．８ｍｍ、例えば１ｍｍ以上且つ６．８ｍｍ以下であっても良いあるいは、櫛歯間の間隔は、約１ｍｍ乃至３．８ｍｍ、例えば１ｍｍ以上且つ３．８ｍｍ以下であっても良い
【００１５】
集毛器は、集毛器が毛切断機器に結合されたときに、毛切断機器の本体の表面と係合するか、又は整列するように構成された基部壁を有しても良い。基部壁の自由端は、毛室の開口を少なくとも部分的に画定しても良い。
【００１６】
毛切断機器は、集毛器の基部壁の少なくとも一部を受け入れるように構成された凹部を有しても良い。
【００１７】
基部壁の内側、例えば内側面は、毛切断機器の毛切断面、例えば毛が毛切断機器の切断刃によって切断される平面に対して、自由端、例えば集毛器の開口において実質的に垂直に向きされても良い基部壁の内側面は、自由端から離れた位置で、毛切断装置の本体の表面と実質的に整列されても良い。基部壁は、基部壁の内側面の向きが変化する角部分を有しても良い。
【００１８】
基部壁は、湾曲した壁部分を有しても良い。基部壁、例えば基部壁の内側面の向きは、湾曲した壁部分にわたって、端において毛切断平面に実質的に垂直である向きから、自由端から離れた位置において毛切断機器本体の表面と実質的に整列する向きへと遷移しても良い。
【００１９】
基部壁は、自由端から、例えば毛室内に延在する傾斜部分を有しても良い。傾斜部分は、切断刃の毛切断面に実質的に垂直な毛流れ面を画定しても良い。基部壁の厚さは、自由端部における端部厚から自由端から離れた壁厚まで、傾斜部分にわたって変化しても良い。端部の厚さは、壁の厚さよりも薄くても良い
【００２０】
基部壁は、傾斜部分の自由端とは反対側に壁部分を有しても良い。壁部分は、毛切断機器の本体の表面と実質的に整列され得るか、又は係合されても良い。
【００２１】
壁部分は、毛切断面に対してより小さい角度、例えば、毛流れ面と比較して毛切断面に対してより垂直でなくても良い。
【００２２】
換言すれば、集毛器の基部壁は、自由端に隣接する第１の角度付き部分と、縁に対して第１の角度付き部分の反対側にある第２の角度付き部分とを有することができ、第１の角度付き部分、例えば、第１の角度付き部分の内側面は、第２の角度付き部分よりも、毛切断機器の毛切断面に対してより角度を付けることができる。換言すれば、第１の傾斜部分は、第２の傾斜部分よりも毛切断面に対して垂直であっても良い。
【００２３】
毛切断機器の切断刃は、毛切断機器の本体の遠位端から延在しても良い。基部壁の自由端は、毛切断機器の本体の遠位端と、例えば切断刃に隣接して、実質的に整列されても良い。それ故、毛室の開口は、毛切断機器の本体の遠位端と実質的に整列されても良い。毛室は、開口においてチャンバの３つ以上の側面において囲まれても良い
【００２４】
櫛は、毛切断システムを操作するときにユーザの皮膚に対して保持される櫛表面を画定しても良い。櫛表面は、毛切断システムによって切断される毛の長さが毛切断長さに従って決定されるように、毛切断長さによって切断刃から選択的にオフセットされても良い。
【００２５】
櫛は、毛切断システムによって切断される毛の長さを変化させるために、切断刃に対して、例えば、毛切断機器の切断方向に垂直な方向に移動可能であっても良い。櫛及び集毛器は、櫛が移動するにつれて櫛の遠位端と毛室の内側面との間の間隙が実質的に一定であるように構成されても良い。あるいは、櫛の遠位端と毛室の内側面との間の間隙は、櫛が移動するにつれて、例えば、間隙値の範囲内で変化しても良い
【００２６】
集毛器は、毛室の閉鎖端部と毛室の開口との間に毛保持壁を更に有しても良い。毛保持壁は、基部壁から毛室内に延在しても良い。
【００２７】
毛保持壁は、切断刃の毛切断面に実質的に垂直な方向、又は毛切断機器の切断方向に、基部壁から離れて延在しても良い
【００２８】
本発明の別の態様によれば、上述の毛切断システムのための集毛器が提供され、集毛器は、毛切断機器によって切断された毛を受容するための毛室と、櫛の遠位部分が毛室内に配置されるように、集毛器を毛切断機器に結合するように構成された結合部と、を有する。
【００２９】
本発明の別の態様によれば、上述の毛切断システムのための集毛器が提供され、集毛器は、毛切断機器によって切断された毛を受容するための毛室と、集毛器を毛切断機器に結合するように構成された結合部と、を備え、毛切断システムが組み立てられたときに、櫛の一部が毛室内に配置される。
【００３０】
本明細書における本文の労力及び繰り返しの不必要な重複を避けるために、特定の特徴は、本発明の１つ又は幾つかの態様又は実施例のみに関連して記載される。しかしながら、技術的に可能である場合、本発明の任意の態様又は実施例に関連して説明される特徴は、本発明の任意の他の態様又は実施例とともに使用されても良いことは理解されたい。
【００３１】
本発明をより良く理解し、本発明を実施する方法をより明確に示すために、例として添付図面への参照が為される。
【図面の簡単な説明】
【００３２】
【図１】第１の毛切断構成における以前に提案された毛切断システムの側面図である。
【図２】第２の毛切断構成における以前に提案された毛切断システムの側面図である。
【図３（ａ）】分解された状態における、本発明の構成による毛切断システムの斜視図である。
【図３（ｂ）】組み立てられた状態における、本発明の構成による毛切断システムの斜視図である。
【図４】第１の毛切断構成における毛切断システムの断面側面図である。
【図５】第２の毛切断構成における毛切断システムの断面側面図である。
【図６】櫛の隠れた細部を伴う、本発明の構成による毛切断システムの前面図である。
【図７】本発明の他の構成による、毛切断システムの部分的な断面側面図である。
【図８】毛切断システムの部分的な断面側面図である。
【図９】本発明の他の構成による、毛切断システムの部分的な断面側面図である。
【図１０】分解された状態における、本発明の他の構成による毛切断システムの前方斜視図である。
【図１１】本発明の他の構成による毛切断システムの断面側面図である。
【発明を実施するための形態】
【００３３】
図１及び図２を参照すると、以前に提案された毛切断システム２は、毛切断機器４０と、切断される毛切断機器４０の切断刃４２に向かって毛を案内するように構成された櫛６０と、毛切断機器４０によって切断された毛を受け入れて収容するための集毛器８０とを有する。
【００３４】
毛切断機器４０は、毛切断システムが使用されているときにユーザによって保持されるグリップ部分４６を含む本体４４を有する。切断刃４２は、本体４４の遠位端４４ａから突出しても良い。
【００３５】
図２に示すように、毛切断システム２は、櫛６０の櫛表面６２の位置が、毛切断機器４０の本体４４及び切断刃４２に対して調整され得るように、調整可能である。
【００３６】
使用時には、櫛面６２は、毛が切断されている人の皮膚に対して保持され、毛切断システム２は、人の毛を切断するために、切断方向Ｃに人の皮膚上を移動させられる。
【００３７】
毛切断システム２によって切断される毛の長さは、櫛６０の櫛面６２と毛切断機器４０の切断刃４２との間の距離を調節することによって制御される。
【００３８】
図１及び図２に示すように、集毛器８０は櫛６０に結合され、櫛表面６２の位置が調整されるにつれて、集毛器８０が櫛６０と共に移動するようになっている。
【００３９】
集毛器８０は、切断された毛を受け入れるための収集室８８を画定する複数の壁部８２、８４、８６を有する。特に、集毛器８０は、毛切断機器の本体に隣接して配置される基部壁８２と、基部壁８２に対向する前壁８４と、基部壁８２と前壁８４との間の２つ以上の側壁８６とを有する。集毛室８８の開口８９は、集毛器８２、８４、８６の壁の自由端８２ａ、８４ａ、８６ａによって画定される。
【００４０】
図示されるように、集毛器８０が櫛６０に結合されると、櫛６０の一部は、集毛室８８の開口８９の上に配置され、集毛室８８から毛が出るのを制限するように作用する。集毛器８０は櫛に結合され、櫛６０と共に移動するので、櫛６０は、毛切断長さが調整されるにつれて、集毛室８８から毛が出るのを制限し続ける。
【００４１】
図１に示されるように、集毛室８８の開口８９を部分的に形成する基部壁８２の自由端８２ａは、毛切断機器の本体４４の遠位端４４ａから、例えば櫛面６２から離れてオフセットされ、その結果、基部壁８２は、櫛６０が、例えば図２に示されるように、毛切断長さを調節するために毛切断機器４０から離れるように移動されるときに、毛切断機器の切断刃４２と干渉しない。
【００４２】
基部壁の自由端８２ａは本体４４の遠位端４４ａからオフセットされているので、毛切断機器４０の本体４４と集毛器８０の側壁８６との間にギャップ９０が存在することができ、このことは、特に櫛面６２と切断刃４２との間の距離が最小であり、切断刃４２と基部壁の自由端８２ａとの間の距離が図１に示すように最大であるときに、毛が集毛室８８から落下することを可能とし得る。
【００４３】
図３ａ及び図３ｂを参照すると、本発明の構成による毛切断システム１００は、毛切断機器１２０と、櫛１４０と、集毛器１６０とを有する。
【００４４】
毛切断機器１２０は、毛切断機器４０と同様であってもよく、毛切断機器４０を参照して上述した特徴は、毛切断機器１２０に等しく適用されても良い。
【００４５】
毛切断機器１２０は、把持部分１２３を有する本体１２２と、毛を切断するための切断刃１２４とを有する。図示されるように、切断刃１２４は、本体１２２の遠位端１２２ａから突出し得る。
毛切断機器１２０は、以下に記載されるように、集毛器１６０が毛切断機器１２０に結合されることを可能にするように構成された１つ以上の結合部１２８を更に有しても良い。
【００４６】
図示の構成では、切断刃１２４は、可動刃及び固定刃（櫛又はガード刃と呼ばれ得る）を含む一対の刃を有する。可動刃及び固定刃はそれぞれ、複数の歯を備え、固定刃の歯は、可動刃の歯に対応する。可動刃は、毛切断機器のモータによって駆動されて、固定刃に対して往復運動、振動運動、又は回転運動を行い、可動刃と固定刃のそれぞれの対応する歯の間のギャップを開閉する。ギャップが開いているとき、歯の間に毛を受け入れることができ、ギャップが閉じているときに毛を切断する。幾つかの構成においては、可動刃及び固定刃の両方の歯は、鋭利にされた端部を含むことができる。あるいは、可動刃又は固定刃の歯は鋭くされていなくてもよく、鋭くされた刃が鋭くされていない刃の鈍い端部の上に作用することによって、毛が切断されても良い。切断刃１２４は、切断刃によって画定される切断面１２６において毛を切断するように配置される。本発明はまた、人の毛を切断するための切断刃又は他の切断要素の異なる配置を有する毛切断機器に適用されても良い。
【００４７】
櫛１４０は、櫛１４０を横方向に横切って、例えば切断面１２６に平行で切断方向Ｃに垂直な方向に、間隔を置いて配置された複数の櫛歯１４２を有し、櫛歯１４２は、毛切断システム１００が切断方向Ｃに移動するときに、毛を皮膚から持ち上げ、毛を切断刃１２４に向かって案内するように成形及び配置され、その結果、例えば、毛は、可動刃と固定刃との間のギャップに、より容易に受け入れられることができる。
【００４８】
櫛１４０は、毛切断システム１００が使用されているときに、毛が切断されている人の皮膚に対して置かれる櫛面１４４を画定する。上述したように、毛切断システムによって毛が切断される長さは、櫛面１４４と切断刃１２４との間の距離に従って決定される。
【００４９】
櫛１４０は、櫛１４０を毛切断機器１２０に移動可能に結合して、櫛１４０を毛切断機器に対して移動させて毛切断長さを調整することを可能にするように構成された結合部１４６を含む。櫛１４０は、図４に描かれているような後退位置と、図５に描かれているような伸長位置との間で、毛切断機器１２０に対して移動可能であっても良い
【００５０】
櫛歯１４２は、結合部１４６から切断方向Ｃに延在する第１の部分１４２ａを備え、櫛歯の第１の部分１４２ａ、例えば第１の部分１４２ａの下面によって、櫛面１４４の少なくとも一部が形成されても良い。また、櫛歯１４２は、第２の部分１４２ｂを有しし、該第２の部分は、各々の第１櫛歯部１４２ａから、櫛１４０の遠端１４０ａまで伸びる。図示のように、櫛歯の第２の部分１４２ｂは、櫛表面１４４に垂直な成分を有する方向に、例えば櫛表面から離れる方向に延在しても良い。例えば、櫛歯の第２の部分１４２ｂは、櫛表面１４４に実質的に垂直な方向に延在しても良い。
【００５１】
櫛歯の第２の部分１４２ｂは、毛が切断刃１２４に向かって案内されるときに、皮膚から持ち上げられた毛を支持しても良い。更に、櫛歯の第２の部分１４２ｂは、以下に説明するように、毛が集毛器１６０から落ちるのを制限しても良い。
【００５２】
図示のように、櫛１４０は、櫛１４０の遠位端１４０ａに設けられた接続バー１４８を更に有しても良い。結合バー１４８は、櫛形の左右方向に延在しても良い。接続バー１４８は、２つ以上の櫛歯１４２の間に延在して、歯を互いに接続しても良い。
【００５３】
集毛器１６０は、毛切断システム１００が組み立てられたときに毛切断機器１２０の本体１２２に隣接して配置される基部壁１６２を有する。集毛器１６０は、基部壁１６２に対向する前壁１６４と、基部壁１６２と前壁１６４との間の２つ以上の側壁１６６とを更に有する。壁１６２、１６４、１６６は合わせて、毛切断機器１２０によって切断された毛を受け入れるための収集室１６８を画定する。
【００５４】
集毛室１６８の開口１６９は、集毛器の壁の自由端１６２ａ、１６４ａ、１６６ａによって画定される。毛切断システム１００が組み立てられると、開口１６９は、毛切断機器によって切断された毛が毛室の開口１６９に到達するように配置される。開口１６９は、切断刃１２４に隣接して配置されても良い。開口１６９は、櫛表面１４４に対して切断面１２６の反対側に画定されても良い
【００５５】
図３ａ及び図３ｂに戻ると、集毛器１６０は、毛切断機器１２０に結合するように構成された１つ又は複数の結合部１７０を更に備える。集毛器１６０は、集毛器１６０の各側部に設けられた結合部１７０を有しても良い。結合部１７０は、集毛器１６０の側壁１６６から、例えば、集毛器１６０の各側面上に延在しても良い
【００５６】
毛切断機器１２０の結合部１２８は、集毛器１６０の結合部１７０のそれぞれと結合するように構成されても良い。集毛器１６０の結合部１７０及び毛切断機器１２０の対応する結合部１２８は、クリップ、スナップコネクタ、ボタンもしくはストラップ、又は任意の他の機械的結合方法などの機械的結合方法を使用して結合可能であっても良い。
【００５７】
加えて、又は代替的に、集毛器１６０の結合部１７０及び毛切断機器１２０の対応する結合部１２８は、任意の他の結合方法を使用して結合可能であっても良い。例えば、結合部１７０及び対応する結合部１２８の一方又は両方は、磁石を備えてもよく、集毛器１６０は、磁石を使用して毛切断機器に結合するように構成されても良い。
【００５８】
図４及び図５に示されるように、集毛器１６０は、毛切断機器１２０に結合されるので、集毛室１６８の開口１６９は、例えば、毛切断長さを調節するために、毛切断機器１２０に対する櫛１４０の位置が変化するときに、毛切断機器１２０の切断刃１２４に対して同じ位置に留まる。基部壁の自由端１６２ａは、毛切断機器の本体の遠位端と実質的に整列され、その結果、櫛１４０が毛切断機器１２０に対して移動するとき、開口１６９は、切断刃１２４に対して、例えば切断刃１２４に隣接して、静止したままである。更に、集毛器の基部壁１６２は、毛切断機器の遠位端まで延在するので、基部壁１６２と切断刃１２４に隣接する集毛器１６０の側壁１６６との間にギャップは存在しない。
【００５９】
集毛器１６０が毛切断機器１２０に結合されると、櫛１４０の一部が集毛室１６８内に配置される。図示の構成では、櫛１４０の遠位端１４０ａ、例えば、接続バー１４８及び歯１４２ｂの第２の部分の一部は、集毛室１６８内に配置される。櫛１４０及び集毛器１６０は合わせて、櫛１４０が集毛室１６８から毛が出るのを制限するように作用するように構成される。
【００６０】
開口１６９は、櫛、例えば櫛歯１４２によって実質的に覆われてもよく、従って、切断された毛は、開口１６９を通って集毛室１６８を出るために櫛を通過する。
【００６１】
図６に示すように、櫛歯１４２間の間隔Ｓは、例えば櫛歯１４２間の毛の流れを制限することによって、櫛歯１４２による集毛室内の毛の保持を改善するよう選択されても良い。図示のように、櫛歯間の間隔は、６．８ｍｍ以下、６ｍｍ以下、５ｍｍ以下、４ｍｍ以下、ｍｍ以下としても良い。櫛歯間の間隔は、１ｍｍ以上、２ｍｍ以上、又は３ｍｍ以上であっても良い。例えば、櫛歯１４２間の間隔は、約３．８ｍｍとしても良い。他の構成では、櫛歯１４２間の間隔は、約６．８ｍｍと約１ｍｍとの間であっても良い。
【００６２】
図４及び図５に戻ると、集毛器１６０の前壁１６４は、基部壁１６２から櫛１４０の遠位端１４０ａの上及び前方に、例えば切断方向Ｃに延在し、前壁１６４は、櫛１４０が毛切断機器１２０に対して、例えば後退位置と伸長位置との間で移動するときに、櫛１４０の遠位端１４０ａ、例えば接続バー１４８と、集毛器の前壁１６４と、の間の隙間１５０が実質的に一定のままであるように成形される。
【００６３】
他の構成では、前壁１６４は、櫛１４０が毛切断機器１２０に対して移動するにつれて、間隙１５０が、例えば、間隙値の範囲内で変化するように、成形されても良い。この範囲の最大間隙値は、間隙１５０が最大値にあるときに、切断された毛が櫛の遠位端１４０ａと前壁１６４との間を通過することが制限されるように選択されても良い。櫛が移動する際に前壁１６４と干渉するのを防止するために、範囲の最小間隙値を選択しても良い。あるいは、最小間隙値は、例えば、間隙１５０が最小値であるときに、櫛の遠位端部が前壁１６４に接触するように、約０ｍｍであっても良い。
【００６４】
集毛器１６０の前壁１６４は、櫛１４０が、例えば、全ての毛切断長さのために、後退位置及び伸長位置にあるとき、前壁１６４が櫛１４０の遠位端１４０ａの上及び前方に延在するような形状であっても良い。このようにして、櫛１４０は、全ての毛切断長さについて、集毛器１６０の開口１６９を覆い続ける。
【００６５】
図７を参照すると、代替の構成では、集毛器の前壁１６４は、開口７００を含むことができ、集毛器１６０が毛切断機器１２０に結合されると、櫛１４０の遠位端１４０ａは、開口７００の中に、又はそれを通って延在しても良い。それ故、前壁１６４と櫛１４０との間に、例えば、前壁１６４の内側面に垂直な方向に、毛が収集室１６８から出ることができる隙間が存在しなくても良い
【００６６】
斯かる構成では、櫛歯１４２の長さ、例えば櫛歯の第２の部分１４２ｂは、櫛歯１４２及び／又は接続バー１４８が、櫛１４０が、例えば、すべての毛切断長さについて、後退位置及び伸長位置にあるときに、開口７００内に又は開口７００を通って延在するように選択されても良い。
【００６７】
図８を参照すると、基部壁１６２の傾斜部分１６２ｂが、基部壁１６２の自由端１６２ａに隣接して形成されても良い。傾斜部分１６２ｂは、基部壁の厚さが、自由端１６２ａから離れて、基部壁の自由端１６２ａでの縁の厚さまで、壁の厚さが先細となる基部壁１６２の一部を含んでも良い。端部の厚さは、壁の厚さより薄くても良い。
【００６８】
基部壁１６２の傾斜部分１６２ｂの内側面１６２ｄは、毛流れ面と呼ぶことができ、切断面１２６及び／又は櫛面１４４に対して実質的に垂直であっても良い。このように傾斜部分１６２ｂの内側面１６２ｄを配置することにより、基部壁１６２上の集毛室１６８への毛の流れが改善される。
【００６９】
傾斜部分１６２ｂの自由端１６２ａとは反対側の基部壁の壁部分１６２ｃの内側面１６２ｅは、毛切断機器１２０の本体１２２、例えば、集毛器１６０に隣接する本体１２２の外面と整列しても良く、例えば、実質的に平行であっても良い。
【００７０】
壁部１６２ｃの内側面１６２ｅは、傾斜部１６２ｂの内側面１６２ｄに対して角度をつけられても良い。基部壁１６２は、傾斜部分１６２ｂと壁部分１６２ｃとの間の角部分１６２ｆを有しても良い。基部壁１６２の内側面の向きは、角部１６２ｆで、例えば、傾斜部内側面１６２ｄの向きから壁部内側面１６２ｅの向きに変化しても良い。図示されるように、基部壁１６２の内側表面の向きは、角部分１６２ｆで離散的に、又は急激に変化しても良い。
【００７１】
壁部分１６２ｃの内側面１６２ｅは、毛切断面１２６及び／又は切断方向Ｃに対してより小さい角度であっても良く、このように傾斜部分及び壁部分の内側面を向けることによって、室内への毛の流れ及び室内の毛の保持の両方が改善されても良い。
【００７２】
図９に描かれるように、角部分１６２ｆに加えて、又はその代替として、基部壁１６２は、湾曲壁部分１６２ｇを含んでも良い。基部壁１６２の内側表面の向きは、自由端１６２ａにおける切断面１２６及び／又は櫛形表面１４４に対して実質的に垂直であることから、自由端１６２ａから離れて毛切断機器１２０の本体１２２と実質的に平行に、例えば平行に整列されるように、湾曲壁部分１６２ｇにわたって遷移しても良い。湾曲壁部分１６２ｇは、傾斜部分１６２ｂによって少なくとも部分的に形成しても良い。更に、又は代替的に、湾曲壁部分１６２ｇは、壁部分１６２ｃによって少なくとも部分的に形成されても良い
【００７３】
図１０を参照すると、毛切断機器１２０の本体１２２は、凹部１２２ｂを有しても良い。凹部１２２ｂは、集毛器が毛切断機器１２０に結合されたときに、集毛器１６０の一部を受け入れるように構成されても良い。例えば、集毛器１６０の基部壁１６２は、凹部１２２ｂ内に受容されても良い。凹部１２２ｂの深さは、基部壁１６２の厚さ、例えば最大厚さに実質的に等しくても良い。このようにして、基部壁１６２の内側面は、凹部１２２ｂの周りで本体１２２の外面１２２ｃ内に実質的に整列されても良い。換言すれば、基部壁１６２の内側面は、凹部１２２ｂが本体１２２に設けられていない場合、本体１２２の外面となる位置に配置されても良い。
【００７４】
図１１を参照すると、集毛器１６０は、毛保持壁１０００を更に有しても良い。毛保持壁１０００は、基部壁１６２から収集室１６８内に延在しても良い。毛保持壁１０００は、収集室１６８の閉鎖端と開口１６９との間に配置される。毛保持壁１０００は、収集室１６８の横幅を横切って、例えば、側壁１６６の間に延在しても良い。毛保持壁１０００と集毛器１６０の前壁１６４との間に毛ギャップ１００２を残して、毛が毛保持壁１０００を通過して集毛室１６８の閉鎖端に向かって移動することを可能にしても良い。図１１に示されるように、切断された毛は、壁１０００によって、例えば、壁１０００と集毛室１６８の閉鎖端との間に保持されても良い。
【００７５】
図示のように、毛保持壁１０００は、切断面１２６、切断方向Ｃ及び／又は櫛面１４４に垂直な成分を有する方向に基部壁１６２から延在しても良い。例えば、毛保持壁１０００は、切断面１２６に実質的に垂直な方向に基部壁１６２から離れるように延びても良い。毛保持壁１０００がこのような向きとされる場合、毛保持壁１０００は、毛切断システム１００が人の頭部の頂部などの実質的に水平な表面上で使用されているときに、収集室１６８内に毛を保持するのに特に有効であり得る。
【００７６】
本発明は、１つ又は複数の例示的な例を参照して例として説明されたが、開示された例に限定されず、添付の特許請求の範囲によって定義される本発明の範囲から逸脱することなく、代替の例を構成しても良いことが、当業者には理解されよう。
【図１】
2021521953.tif 000003
【図２】
2021521953.tif 000004
【図３ａ】
2021521953.tif 000005
【図３ｂ】
2021521953.tif 000006
【図４】
2021521953.tif 000007
【図５】
2021521953.tif 000008
【図６】
2021521953.tif 000009
【図７】
2021521953.tif 000010
【図８】
2021521953.tif 000011
【図９】
2021521953.tif 000012
【図１０】
2021521953.tif 000013
【図１１】
2021521953.tif 000014
【国際調査報告】
2021521953.tif 000015
2021521953.tif 000016